(57)【要約】      （修正有）【課題】録画内容情報の録画再生操作が簡単で、再生機種に関わらず録画内容情報を表示でき、ＥＰＧ以外のデータからも録画内容情報を検出して記録表示でき、サムネイル表示にも対応可能な録画再生装置を提供することを目的とする。【解決手段】ＥＰＧデータ３とＥＰＧ以外のデータ４を参照してタイトル画像５を生成し、録画される映像／音声データ１の前か後にタイトル画像５の映像を一定時間記録する。映像／音声データ１とタイトル画像５は連続して録画されるので、通常の再生方法で連続して再生できる。タイトル画像５を映像／音声データ１の前に記録するか後に記録するかを選択できる。タイトル画像５にタイトル名と録画日時と入力ソースとジャンルと録画時間と録画モードと録画ユーザー情報が表示され、背景画像８を合成させることもできる。サムネイルの生成と表示機能を付加することもできる。【選択図】図１
2006157697.tif 000002
【特許請求の範囲】
【請求項１】
映像／音声データをデータファイル単位で記録媒体に記録することができ、記録媒体に記録されている映像／音声データをデータファイル単位で再生することのできる録画再生装置において、少なくとも、入力される放送番組の一定時間の映像／音声データを記録媒体に記録できる録画機能と、ＥＰＧデータおよび時計情報や録画内容情報やユーザー入力情報等のＥＰＧ以外のデータを参照してタイトル名その他からなる録画内容情報が記載されたタイトル画像を生成するタイトル画像生成機能と、録画する映像／音声データの前または後に前記のタイトル画像を映像／音声データと同じ録画方式により一定時間の映像データとして記録するタイトル画像記録機能と、全体の動作を制御する制御機能と、を有し、映像／音声データとタイトル画像は連続して再生可能な１つのデータファイルとして記録されることを特徴とする録画再生装置。
【請求項２】
録画開始設定時間よりもタイトル画像の録画時間分前には録画開始命令が実行され、タイトル画像を生成して一定時間の映像データとして記録媒体に記録し、その後連続して、録画開始設定時間から録画終了設定時間まで映像／音声データを一定時間録画することを特徴とする請求項１記載の録画再生装置。
【請求項３】
録画開始命令が実行され、映像／音声データを記録媒体に一定時間録画し、録画終了命令と同時にタイトル画像を生成し、映像／音声データの後に連続してタイトル画像を一定時間の映像データとして記録することを特徴とする請求項１記載の録画再生装置。
【請求項４】
録画開始命令は、予約録画によって出される場合とユーザーの手動録画によって出される場合の２つが可能であり、録画終了命令は、予約録画の場合は設定された時刻に実行され、手動録画の場合は手動にて録画終了操作された時や設定された時間経過後に実行されることを特徴とする請求項１、２または３記載の録画再生装置。
【請求項５】
録画内容情報として、ＥＰＧデータを参照して少なくともタイトル名と録画日付と録画時刻と入力ソースとジャンルを検出し、ＥＰＧ以外のデータを参照して少なくとも録画時間と録画モードと録画ユーザー情報を検出し、検出情報に基づく録画内容情報が記載されたタイトル画像が生成されることを特徴とする請求項１、２、３または４記載の録画再生装置。
【請求項６】
再生状態の映像／音声データの中から任意の一場面を選択することにより録画内容情報の背景に利用するための背景画像を抽出できる背景画像抽出機能と、記録されているタイトル画像を読み出して前記抽出した背景画像またはあらかじめ用意された背景画像と合成させて背景付きのタイトル画像を生成できる背景合成機能と、すでに記録されているタイトル画像の映像データを背景付きの新しいタイトル画像の映像データに書き換えて記録することができるタイトル画像書き換え機能と、を有しており、タイトル画像と映像／音声データがすでに録画されたデータファイルに対して既存のタイトル画像を背景付きのタイトル画像に書き換え可能であることを特徴とする請求項１または５記載の録画再生装置。
【請求項７】
背景画像の抽出を実行する場合、あらかじめ決められた設定時間におこなうか、または、ユーザーの手動操作によっておこなうかを、選択できることを特徴とする請求項６記載の録画再生装置。
【請求項８】
記録媒体に映像／音声データの前または後にタイトル画像が記録されたデータファイルが録画された状態とする第１プロセスと、再生状態の映像／音声データから抽出した背景画像を用いるかまたはあらかじめ用意された背景画像を用いてデータファイルの既存のタイトル画像と合成して背景付きのタイトル画像を生成する第２プロセスと、データファイルの既存のタイトル画像を読み出して背景付きのタイトル画像に書き換える第３プロセスの、第１から第３のプロセスまで、あるいは、第２から第３のプロセスまで、を自動的に処理する制御が可能であることを特徴とする請求項６または７記載の録画再生装置。
【請求項９】
記録媒体内のデータファイルごとに含まれているタイトル画像を抽出してサムネイル画像を生成しデータファイルとは別の記録領域に保存しておくことのできるサムネイル生成機能と、サムネイル画像を表示することのできるサムネイル表示機能と、を有することを特徴とする請求項１、５、６、７または８記載の録画再生装置。
【発明の詳細な説明】
【技術分野】
【０００１】
この発明は、ＴＶ等から入力された映像／音声データをＤＶＤや光ディスク等の記録媒体に記録することができ、記録媒体に記録された映像／音声データを再生することができる録画再生装置において、記録媒体の中に記録された映像／音声データに関するタイトル名やその他の録画内容情報を記録しておくことができ、録画内容情報を表示することで映像／音声データのタイトル名その他を知ることが可能な録画再生装置に関するものである。
【背景技術】
【０００２】
録画内容を表示する従来の代表的な技術はサムネイル表示によるもので、たとえば特許文献１の「記録情報の編集方法およびディスク記憶媒体の記録編集装置」などがある。記録媒体に記録されているデータごとにサムネイル画像を抽出して記憶しておき、ユーザーは複数のサムネイル画像が表示されたサムネイル画面の中から１つのサムネイル画像を選択することにより、希望したデータを再生させることができる。
【０００３】
録画内容情報を表示可能な別の技術としては、たとえば特許文献２の「受信装置及び録画設定方法」がある。録画予約の直前に記録されるタイトル画面をＥＰＧデータを使用して作成し、録画データの先頭に録画データの一部として記憶する。再生時は再生データの冒頭に、再生される番組の番組情報（放送日時とタイトル名）が表示される。ＥＰＧデータにジャンルがあればジャンルも表示できる。タイトル画面の背景はあらかじめ複数用意されている。背景は、時間帯やジャンルに応じて選択可能となっている。
【特許文献１】特開２００３−２７２３５８号公報
【特許文献２】特開２００４−１２０１７０号公報
【発明の開示】
【発明が解決しようとする課題】
【０００４】
上記したサムネイル画像を用いた従来の録画再生装置の場合、通常の録画操作や再生操作のほかに特別な操作を必要としているため、操作が複雑で面倒なものになっていた。わざわざサムネイル画面を呼び出さなければ録画内容情報を表示することができない。また、サムネイル画面を呼び出したうえでサムネイル画面をユーザーが選択しなければデータの本編を再生させることができない。また、録画再生装置が録画した装置と異なるかあるいは再生装置の機種によっては、データの本編は再生できるがサムネイル画面を表示することができず、録画内容情報を確認できない事例があった。特定のメーカーの録画再生装置で録画された番組の録画内容情報は録画再生装置が異なることによって画面表示の機能がないか、対応できない場合である。
【０００５】
上記したＥＰＧデータを利用してタイトル画面を作成して録画データの先頭に録画データの一部として記録させる従来の録画再生装置の場合、ＥＰＧデータに含まれているデータのみを録画内容情報として参照しているため、録画時間や録画モードや入力ソースやユーザー情報等は録画内容情報に反映されない。ＥＰＧデータ以外の情報をタイトル画像に付加できない。ＥＰＧデータはあくまでも放送番組の情報であって、ユーザーサイドの録画内容情報をタイトル画面として表示することはできない。録画モード、録画時間、録画ユーザー等の録画内容情報は記録することも表示することもできない。また、本編の映像／音声データを再生する前に毎回タイトル画面を見なければならず、ユーザーによっては煩わしく感じる場合がある。
【０００６】
本発明は、上記した現状に鑑み、録画内容情報の記録と再生の操作が簡単で、再生する機種に関わらず録画内容情報を表示可能であり、ＥＰＧデータだけでなくＥＰＧデータ以外のユーザーサイドのデータも一緒に記録することができ、本編の映像／音声データの前にタイトル画像を記録しないことも可能であり、サムネイル表示機能を求めるユーザーの希望にも対応できる録画再生装置を提供することを目的とする。
【課題を解決するための手段】
【０００７】
請求項１に係る本発明の録画再生装置は、映像／音声データをデータファイル単位で記録媒体に記録することができ、記録媒体に記録されている映像／音声データをデータファイル単位で再生することのできる録画再生装置において、少なくとも、入力される放送番組の一定時間の映像／音声データを記録媒体に記録できる録画機能と、ＥＰＧデータおよび時計情報や録画内容情報やユーザー入力情報等のＥＰＧ以外のデータを参照してタイトル名その他からなる録画内容情報が記載されたタイトル画像を生成するタイトル画像生成機能と、録画する映像／音声データの前または後に前記のタイトル画像を映像／音声データと同じ録画方式により一定時間の映像データとして記録するタイトル画像記録機能と、全体の動作を制御する制御機能と、を有し、映像／音声データとタイトル画像は連続して再生可能な１つのデータファイルとして記録されることを特徴とする。
【０００８】
請求項２に係る本発明の録画再生装置は、請求項１に記載された録画再生装置において、録画開始設定時間よりもタイトル画像の録画時間分前には録画開始命令が実行され、タイトル画像を生成して一定時間の映像データとして記録媒体に記録し、その後連続して、録画開始設定時間から録画終了設定時間まで映像／音声データを一定時間録画することを特徴とする。
【０００９】
請求項３に係る本発明の録画再生装置は、請求項１に記載された録画再生装置において、録画開始命令が実行され、映像／音声データを記録媒体に一定時間録画し、録画終了命令と同時にタイトル画像を生成し、映像／音声データの後に連続してタイトル画像を一定時間の映像データとして記録することを特徴とする。
【００１０】
請求項４に係る本発明の録画再生装置は、請求項１、２または３に記載された録画再生装置において、録画開始命令は、予約録画による場合とユーザーの手動録画による場合の２つが可能であり、録画終了命令は、予約録画の場合は設定された時刻に実行され、手動録画の場合は手動にて録画終了操作された時や設定された時間経過後に実行されることを特徴とする。
【００１１】
請求項５に係る本発明の録画再生装置は、請求項１、２、３または４に記載された録画再生装置において、録画内容情報として、ＥＰＧデータを参照して少なくともタイトル名と録画日付と録画時刻と入力ソースとジャンルを検出し、ＥＰＧ以外のデータを参照して少なくとも録画時間と録画モードと録画ユーザー情報を検出し、検出情報に基づく録画内容情報が記載されたタイトル画像が生成されることを特徴とする。
【００１２】
請求項６に係る本発明の録画再生装置は、請求項１または５に記載された録画再生装置において、再生状態の映像／音声データの中から任意の一場面を選択することにより録画内容情報の背景に利用するための背景画像を抽出できる背景画像抽出機能と、記録されているタイトル画像を読み出して前記抽出した背景画像またはあらかじめ用意された背景画像と合成させて背景付きのタイトル画像を生成できる背景合成機能と、すでに記録されているタイトル画像の映像データを背景付きの新しいタイトル画像の映像データに書き換えて記録することができるタイトル画像書き換え機能と、を有しており、タイトル画像と映像／音声データがすでに録画されたデータファイルに対して既存のタイトル画像を背景付きのタイトル画像に書き換え可能であることを特徴とする。
【００１３】
請求項７に係る本発明の録画再生装置は、請求項６に記載された録画再生装置において、記録媒体に映像／音声データの前または後にタイトル画像が記録されたデータファイルが録画された状態とする第１プロセスと、再生状態の映像／音声データから抽出した背景画像を用いるかまたはあらかじめ用意された背景画像を用いてデータファイルの既存のタイトル画像と合成して背景付きのタイトル画像を生成する第２プロセスと、データファイルの既存のタイトル画像を読み出して背景付きのタイトル画像に書き換える第３プロセスの、第１から第３のプロセスまで、あるいは、第２から第３のプロセスまで、を自動的に処理する制御が可能であることを特徴とする。
【００１４】
請求項８に係る本発明の録画再生装置は、請求項６または７に記載された録画再生装置において、背景画像の抽出を実行する場合、あらかじめ決められた設定時間におこなうか、または、ユーザーの手動操作によっておこなうかを、選択できることを特徴とする。
【００１５】
請求項９に係る本発明の録画再生装置は、請求項１、５、６、７または８に記載された録画再生装置において、記録媒体内のデータファイルごとに含まれているタイトル画像を抽出してサムネイル画像を生成しデータファイルとは別の記録領域に保存しておくことのできるサムネイル生成機能と、サムネイル画像を表示することのできるサムネイル表示機能と、を有することを特徴とする。
【発明の効果】
【００１６】
請求項１をはじめとする本発明の録画再生装置によれば、記録媒体に、映像／音声データの前または後にＥＰＧデータとＥＰＧ以外のデータに基づく録画内容情報を含んだタイトル画像を記録して１つのファイルデータとして記録することができる。録画内容情報を記録しまたは表示するための特別な操作は一切不要であり、通常の録画操作または再生操作と同じ操作で実行することができる。本編の映像／音声データと録画内容情報を表示するタイトル画像は一連の映像として記録されているため、通常の再生操作を行うだけで、一定時間のタイトル画像の映像が本編の前または後に再生表示される。録画再生装置または再生装置の機種が異なっても、録画内容情報を含んだタイトル画像を表示して確認することができるので、他の録画再生装置または再生装置とデータを共有できる。
【００１７】
また、請求項２記載の録画再生装置によれば、一定時間のタイトル画像を記録した後に連続して録画対象の映像／音声データを録画することができる。通常の方法でデータファイルを再生することにより、一定時間タイトル画像が表示された後に連続して本編の映像／音声データを再生できる。
【００１８】
また、請求項３記載の録画再生装置によれば、録画対象の映像／音声データを録画した後に連続して一定時間のタイトル画像を記録することができる。通常の方法でデータファイルを再生することにより、本編の映像／音声データが再生された後に連続して一定時間タイトル画像を表示できる。
【００１９】
また、請求項４記載の録画再生装置によれば、予約録画と手動録画のどちらの録画にも対応して映像／音声データとタイトル画像を録画することができる。
【００２０】
また、請求項５記載の録画再生装置によれば、タイトル画像の録画内容情報として、ＥＰＧデータを参照して検出された少なくともタイトル名と録画日付と録画時刻と入力ソースとジャンル、これに加えて、ＥＰＧ以外のデータを参照して検出された少なくとも録画時間と録画モードと録画ユーザー情報を一緒に記録することができる。
【００２１】
また、請求項６記載の録画再生装置によれば、すでに録画したデータファイルのタイトル画像を、背景画付きの新しいタイトル画像に書き換えることができる。文字による録画内容情報の確認に加えて、映像データから抽出したワンシーンかまたはあらかじめ用意された画像を背景画とすることにより、視覚的にも録画内容を確認できるようになる。この処理は、映像／音声データの録画とタイトル画像の最初の録画をした後でならいつでもおこなうことができる。
【００２２】
また、請求項７記載の録画再生装置によれば、背景画像の抽出を自動的におこなうこともできるし、ユーザーが手動でおこなうこともできる。
【００２３】
また、請求項８記載の録画再生装置によれば、タイトル画像が記録された映像／音声データをデータファイルとして記録媒体に記録する第１プロセス、または、再生状態の映像／音声データから抽出した背景画像またはあらかじめ用意された背景画像とデータファイルから読み出した既存のタイトル画像を合成して背景付きのタイトル画像を生成する第２プロセスから、データファイル内の既存のタイトル画像を背景付きのタイトル画像に書き換える第３プロセスまでを、自動で制御可能となる。最初の録画からのすべてを自動処理することもできるし、既存のデータファイルのタイトル画像を背景付きタイトル画像に書き換える作業だけを自動処理することもできる。これにより、通常の予約録画や手動録画と同じ操作で録画を開始させるだけで、あるいは、既存のデータファイルに対する書き換え処理命令を出すだけで、あとは自動的に背景付きの録画内容情報のタイトル画像を映像／音声データの前または後に記録することができる。操作方法が非常に簡単である。
【００２４】
また、請求項９記載の録画再生装置によれば、データファイルの一部として記録されているタイトル画像を表示して録画内容情報を確認できるだけでなく、サムネイル画像を表示することもできるようになる。これにより、データファイルの再生中であるなしに関わらず、サムネイルを表示して記録媒体内のデータファイルの録画内容情報を知ることができる。もし別の録画再生装置または再生装置を用いてサムネイル表示ができない場合でも、データファイルに記録されているタイトル画像を再生させることにより録画内容情報を確認することができる。
【発明を実施するための最良の形態】
【００２５】
以下、本発明に係る録画再生装置を実施するための最良の形態について図を参照しながら説明するが、本発明は本実施の形態にのみ限定されるべきものではない。
【００２６】
本発明の録画再生装置には、少なくとも、映像／音声データ１を記録媒体に録画できる録画機能２と、ＥＰＧデータ３とＥＰＧ以外のデータ４を参照して検出された録画内容情報が記載されたタイトル画像５を生成できるタイトル画像生成機能６と、映像／音声データ１の前または後にタイトル画像５を一定時間の映像データとして記録できるタイトル画像記録機能７と、全体の動作を制御する制御機能と、を有している。また、録画内容情報の文字の背景に映像／音声データ１内のワンシーンを用いるための背景画像抽出機能９と、映像／音声データ１から抽出した背景画像８またはあらかじめ用意された背景画像８とすでに記録されている既存のタイトル画像５を合成できる背景合成機能１０と、タイトル画像書き換え機能１１が、付加されたものであってもよい。また、記録媒体内のデータファイルからタイトル画像を抽出して記録できるサムネイル生成機能と、サムネイル表示機能と、を有するものであってもよい。また、その他の機能を有するものであってもよい。
【００２７】
最初に、必要なユーザー入力情報や録画内容情報等を設定しておく。録画ユーザーのパスワード等も入力する。タイトル画像５を映像／音声データ１の前に記録するか後に記録するかも選択しておく必要がある。また、予約録画をおこなうか、手動予約をおこなうかを決定する。つぎに、録画開始命令を予約または手動で実行させる。手動録画とは、ＴＶ受信中に機器の本体ＲＥＣキーまたはリモコンのＲＥＣキーを押すことによって瞬時に録画開始させる場合のことであり、ワンタッチ録画とも呼ばれている。録画予約との違いは、録画開始を手動でおこなうかどうかの違いである。手動録画の終了時間は自動設定可能である。
【００２８】
タイトル画像５を映像／音声データ１の前に記録する場合は、録画開始命令があると、ＥＰＧデータ３とＥＰＧ以外のデータ４を参照して各種の録画内容情報を検出してタイトル画像５を生成し設定された一定時間の映像データとしてデータファイル（Ａ）の先頭に記録し、その後連続して、映像／音声データ１を設定された一定時間録画し、設定時間に録画終了命令が出されて停止する（図１、図２参照）。手動録画の場合はＲＥＣキー押下と同時に録画開始命令が出るが、予約録画の場合は録画開始設定時間よりも前に録画開始命令が実行されてタイトル画像５を先頭に記録した後で、録画開始設定時間にあわせて映像／音声データ１の録画が開始される。
【００２９】
タイトル画像５を映像／音声データ１の後に記録する場合は、録画開始命令があると、映像／音声データ１を設定された一定時間データファイル（Ｂ）の先頭に録画し、設定時間に録画終了命令が出されると、クロージング処理が開始され、ＥＰＧデータ３とＥＰＧ以外のデータ４を参照し各種の録画内容情報を検出してタイトル画像５を生成し、映像／音声データ１の後に連続して、設定された一定時間の映像データとしてタイトル画像５を記録し、クロージング処理が終了するとともに停止する（図１、図２、図３、図４参照）。
【００３０】
すでに映像／音声データ１とタイトル画像５が録画済みであるデータファイルの録画内容情報に背景画像８を表示させるためには、映像／音声データ１のワンシーンを選択して抽出するかまたはあらかじめ用意された画像を背景画像８として用い、タイトル画像５の背景画像８にしてしまうことが可能である（図５参照）。まず、記録媒体の中にはすでにタイトル画像５が映像／音声データ１の前か後に記録されたデータファイルが存在している。つぎに、再生状態の映像／音声データ１から背景抽出機能９で背景画像８を抽出する。あるいは、あらかじめ用意された中から背景画像８を１つ選択する。つぎに、既存のタイトル画像５を読み出し、背景合成機能１０により背景画像８と既存のタイトル画像５を合成し、背景付きタイトル画像５を生成する。つぎに、タイトル画像書き換え機能１１により、データファイルに記録されている既存のタイトル画像５を読み出して背景付きのタイトル画像５に書き換える。なお、抽出された背景画像８は少なくとも背景付きのタイトル画像５を生成するまでの間一時的に記録しておく。自動制御によって、映像／音声データ１とタイトル画像５の最初の録画からタイトル画像５の書き換えまで、または、データファイルの映像／音声データ１の再生から既存のタイトル画像５を背景付きのタイトル画像５に書き換えてしまうまでの一連のプロセスを、自動で実行させることができる。
【００３１】
タイトル画像５には、少なくとも、タイトル名と録画日付と録画時刻と録画時間と入力ソースと録画モードとジャンルと録画ユーザー情報が表示され、背景付きタイトル画像５の場合は文字の背景に背景画像８が表示される（図６参照）。
【００３２】
本発明の録画再生装置の動きをブロックに基づいて説明する（図７参照）。録画対象の映像／音声データ１を入力し、ＳＷおよびＯＳＤ生成に送信する。また、表示制御はＥＰＧデータ３およびＥＰＧ以外のデータ４からタイトル名と録画日付と録画時刻と入力ソースと録画モードと録画時間と録画ユーザー情報を取得し、ＯＳＤ生成に対してこれらの録画内容情報を含んだタイトル画像５の生成を指示／制御する。ＯＳＤ生成は映像入力から入力した映像信号に対し、表示制御から指示された描画制御に基づき、ＥＰＧデータ３とＥＰＧ以外のデータ４を重畳した映像信号をＳＷおよび映像出力に送信する。ＳＷは入力される録画対象の映像／音声データ１、または、ＯＳＤ生成から出力されるタイトル画像５の一方をエンコーダの入力対象として選択する。この選択は、たとえばタイトル画像５を映像／音声データ１の後に記録する場合は、ユーザーが手動録画でＲＥＣキーを押下時に録画対象の映像／音声データ１を選択し、ユーザーが停止キーを押下時にタイトル画像５の選択するよう、切り換え動作をおこなう。エンコーダはＳＷより入力した映像／音声データ１やタイトル画像５をＭＰＥＧ２方式等に変換して記録装置に送信する。背景画を抽出する場合は、エンコーダによる変換中に録画内容情報の背景画像８として利用するための背景画像８を選択して背景画像バッファに格納する。背景画像８として利用する画像の選択動作は、録画時のユーザーによるキー指定、または、セットアップメニュー等によりあらかじめ定められた時間指定等による。背景合成は、背景画像バッファに格納された背景画像８を、タイトル画像生成時にＯＳＤ生成に対する入力として再生する。
【図面の簡単な説明】
【００３３】
【図１】本発明の録画再生装置における映像／音声データの録画とタイトル画像の記録をあらわしたフローチャート。
【図２】本発明の録画再生装置における録画開始から録画終了までをあらわしたフローチャート。
【図３】本発明の録画再生装置における予約録画の場合の録画予約設定から録画終了までをあらわしたフローチャート。
【図４】本発明の録画再生装置における手動録画の場合の録画開始から録画終了までをあらわしたフローチャート。
【図５】本発明の録画再生装置における背景付タイトル画像の記録をあらわしたフローチャート。
【図６】本発明の録画再生装置におけるタイトル画像の一例をあらわした図。
【図７】本発明の録画再生装置の一例をあらわしたブロック図。
【符号の説明】
【００３４】
１  映像／音声データ
２  録画機能
３  ＥＰＧデータ
４  ＥＰＧ以外のデータ
５  タイトル画像
６  タイトル画像生成機能
７  タイトル画像記録機能
８  背景画像
９  背景抽出機能
１０  背景合成機能
１１  タイトル画像書き換え機能
【図１】
2006157697.tif 000003
【図２】
2006157697.tif 000004
【図３】
2006157697.tif 000005
【図４】
2006157697.tif 000006
【図５】
2006157697.tif 000007
【図６】
2006157697.tif 000008
【図７】
2006157697.tif 000009